(57)【要約】      （修正有）【課題】衝撃を吸収し、未舗装道路での歩行時にも履き物の内部の底面が平坦な状態が維持されて足の疲労感を減少させることができる履き物の提供。【解決手段】前・後方に複数の突出部が備えられたアウトソール１１０と、アウトソール１１０の上部に接着固定され、複数の貫通孔１２１が形成されたミッドソール１２０と、各貫通孔１２１を貫通した後、各突出部の内部に各々対応挿入される複数の突起１３１が底面に突出したインサート１３０と、インサート１３０を含んだミッドソール１２０の上面に覆蓋されるラスティングボード１４０から構成される。【選択図】図３
2006334400.tif 000002
【特許請求の範囲】
【請求項１】
地面に接触するアウトソールと、その上面にミッドソール及びラスティングボードが順次に積層された履き物の靴底であって、
底面に複数の突出部が備えられ、閉ループをなして上面から上向突出した外輪により各突出部の上段外周縁部と底部が一体で連結されたアウトソールと、
前記アウトソールの上面に積層結合され、各外輪と１：１対応する位置に貫通孔が各々形成されたミッドソールと、
前記各貫通孔を貫通した後、これに対応する各外輪の内周面に密着挿入される突起が底面に複数突出形成され、ミッドソールの上面に積層結合されたインサートと、
前記インサートを含んだミッドソールの上面に積層結合されるラスティングボードと、
を含んで構成されたことを特徴とする履き物の靴底。
【請求項２】
前記突出部は、円形及び非対称の四角形状であることを特徴とする請求項１に記載の履き物の靴底。
【請求項３】
前記外輪は‘∩’形断面形状であることを特徴とする請求項１に記載の履き物の靴底。
【請求項４】
前記外輪はその厚さが１．１ｍｍ〜１．３ｍｍであることを特徴とする請求項３に記載の履き物の靴底。
【請求項５】
前記インサートは高弾性材質のポリウレタンであることを特徴とする請求項１に記載の履き物の靴底。
【発明の詳細な説明】
【技術分野】
【０００１】
本発明は、歩行時に底部の水平状態が持続的に維持できるようにした履き物の靴底に関し、より詳しくは、履き物の靴底のアウトソールに個別的に流動可能な複数の突出部が備えられ、アウトソールの上面にミッドソールとインサートが順次に積層され、インサートの底面に突出した複数の弾性突起がミッドソールを貫通してアウトソールの複数の突出部に１：１対応して挿入されることにより、履き物の靴底に加えられる荷重に対して各突出部が突起により支持された状態で個別流動され、かつ、履き物の内部の底部が常に平坦な状態に維持できるようにした、履き物の靴底に関する。
【背景技術】
【０００２】
最近、生活水準の向上により多様なレジャー活動が段々増加しており、これに歩調をあわせて各種レジャー活動に適合した機能性履き物に対する欲求が増えることにつれて新たなデザインと種類別レジャー活動に適合した機能を有するいろいろな種類の機能性履き物が開発市販されており、履き物が持っている機能によってその構造に多少の差があるが、基本的に履き物の構造は、大別して、履き物の靴底と履き物の靴底の上部に結合される甲皮から構成される。
【０００３】
そして、履き物の靴底は、履き物にクッション性を与えるミッドソールと靴底の最外側に結合されて地面に接触するアウトソールから構成されるところ、このような履き物の靴底の場合、ミッドソールは多様な材質の合成樹脂材を発泡成型して製造されることによって、クッション性を有することになり、アウトソールは、耐摩耗性とすべり防止のための機能を有することができるようにゴム系統の材質で製造される。
【０００４】
特に、最近にはミッドソールの材質に使われる合成樹脂材質として軽いだけでなく、衝撃吸収能が良好で、かつ、復元力が優れるＥＶＡ樹脂が主に使われているが、ミッドソールとアウトソールは各々が有するべき特性が異なるので、各々製造した後、アウトソールとミッドソールを積層接着固定させる方法により履き物の靴底を製造することが一般的である。
【０００５】
前記のような履き物の靴底の最も基本的な目的は、足裏を保護しながら足を通じて身体に加えられる衝撃を緩和するのであるところ、履き物の靴底を通じて着用者に加えられる衝撃を最大限縮められるように、多様な衝撃吸収構造が開発されており、代表的なものとして衝撃吸収用ゲルが挙げられるが、このような衝撃吸収用ゲルは使用位置が踵部分に限定されているだけでなく、その量が大変少ないので、充分の衝撃吸収機能を有することができない短所がある。
【０００６】
前記のような問題を解決するために、多様な形態の衝撃吸収構造が出願、登録されたところ、従来の履き物の靴底の衝撃吸収構造に対する代表的な例として、大韓民国公開特許公報第２００４−５４８６８号に開示している“衝撃吸収機能を有する履き物の靴底”の構造を見れば次の通りである。
【０００７】
図１は、前記公開特許の履き物の靴底の分解断面図であって、図示されたように、この公開特許の履き物の靴底は、ミッドソール１０の前側と裏側の各底面に取付溝１１、１２が各々形成され、この取付溝１１、１２の内部の天井面に複数の係合溝１３、１４が備えられ、複数の衝撃吸収用スポンジ１５、１６を前記取付溝１１、１２内の各係合溝１３、１４に係合して固定する一方、前記ミッドソール１０が積層されるアウトソール２０の前・後方には前記前・後方の衝撃吸収用スポンジ１５、１６が見られるように透明底２１ａが各々設置された構造である。
【０００８】
前記のような構造の履き物の靴底は、靴底の内部に衝撃吸収用スポンジ１５、１６が複数個独立的に結合されることにより、アウトソールを通じて伝えられる外部衝撃がある程度吸収できるが、各スポンジ１５、１６の上段部だけ係合溝１３、１４に挿入結合されているので、衝撃が持続的に加えられる場合、容易に分離できるだけでなく、ミッドソールが積層されるアウトソールの全体が一体型であるので、靴底の前方または後方から吸収された衝撃が履き物の靴底の全体に伝えられざるを得ない構造である。
【０００９】
また、前記と異なる履き物の靴底の他の構造として、大韓民国公開特許公報第１９９８−７６７７６号には“二重の空間部を有する履き物用クッションチューブ”が開示されているところ、概略的な構造を示す図２に基づいて見れば、この履き物の靴底は、空気が注入された円柱形小型空間部１１が複数個同一平面上で複数の通路１２により連結されたインナーチューブ１０を上・下部カバー２０、３０間に介在させた構造で成されている。
【００１０】
前記のような構造の履き物の靴底は、インナーチューブに満たされた空気、インナーチューブと上部カバー２０及びインナーチューブと下部カバー間の空気層により充分のクッション性が提供されることはできるが、クッション性の過剰によりむしろ安定感が落ちることができ、その構造が過度に複雑な面があるため、製造生産性が落ちることになる短所がある。
【特許文献１】大韓民国公開特許公報第２００４−５４８６８号
【特許文献２】大韓民国公開特許公報第１９９８−７６７７６号
【発明の開示】
【発明が解決しようとする課題】
【００１１】
本発明は、従来の履き物の靴底が有している諸短所と問題を解決するために案出したものであって、地面と接触するアウトソールの底面に独立的に流動可能な複数の突起部を突出具備し、各突起部を通じて伝えられる荷重を個別的に吸収できる手段を履き物の内部に具備することによって、衝撃緩和は勿論、路面が均していない未舗装道路での歩行時にも履き物の内部の底面ができるかぎり平坦な状態が維持されて足の疲労感を減少させることができる履き物の靴底を提供することを本発明の目的とする。
【課題を解決するための手段】
【００１２】
本発明の前記の目的は、前方と後方の底面に個別的な流動が可能な複数の突出部が備えられたアウトソールと、アウトソールの各突出部の内部に挿入される弾性材質の突起を有するインサートにより達成される。
【００１３】
本発明の履き物の靴底は、地面と接触するアウトソールと、履き物の内部でアウトソールの上面に積層される略板状のミッドソールと、ミッドソールの上面に形成された上向開放型の溝に挿入されるインサートと、インサートが結合されたミッドソールの全体の上面に積層結合されるラスティングボードとから構成されるところ、各々を見れば次の通りである。
【００１４】
アウトソールは、前方と後方の底面に地面と接触する複数の突出部が各々下向突出し、各突出部はアウトソールの底部に対して独立的な流動が可能であるが、これは突出部の上段部とアウトソールの底部との連結部が、‘∩’形状の断面構造を有すると共に、他の部位に比べて相対的に厚さが薄いためであり、各突出部は、前記‘∩’形状の連結部を中心にしてアウトソールの底部に対して独立的な動きが可能な状態となる。
【００１５】
即ち、例えば、断面上において、前記‘∩’形状の左側下段部で突出部の側壁が垂直に下向延長され、右側下段部ではアウトソールの底が右側に水平延長された構造であって、突出部とアウトソールの底の‘∩’形状の連結部もアウトソールの底部の上面から上向突出した状態となる。
【００１６】
この際、前記‘∩’形状の連結部は、平面図上において、突出部の周りを覆いかぶせながら閉ループをなすことになるところ、以下では、前記連結部を“外輪”と称する。
【００１７】
ミッドソールは、前記アウトソールの上面に積層され、靴底の全体の剛性とクッション性を共に補充するためのものであって、複数の突出部が備えられたアウトソールの前・後方と対応する部位に各突出部と位置が一致する複数の貫通構成が備えられた板状の敷物である。
【００１８】
インサートは、前記ミッドソールの上面に積層される板状部材であって、その底面にはアウトソールの各突出部に対応する複数の突起が突出形成された構造であり、ミッドソールの上面に積層された状態で、底面から下方突出した各突起は、ミッドソールの貫通孔を貫通した後、アウトソールの各突出部の内部に挿入されることによって、アウトソールの各突出部を個別的に弾性支持する役割をする。
【００１９】
この際、インサートの大きさをミッドソールと同一な大きさにする必要はないし、突出部が備えられたアウトソールの前・後方のみをカバーしてもよいところ、インサートを１つで構成しなくて分離して前方用と後方用の一対で構成することもできる。
【００２０】
そして、インサートの大きさがミッドソールより小さかったり、２枚で作る場合、インサートをミッドソールの上面に積層すれば、ミッドソールの上面からインサートの上面が突出しながら段部が形成されるところ、ミッドソールの上面にインサートが挿入できる溝を形成させ、この溝にインサートを挿入することによってミッドソールの上面とインサートの上面が同一平面をなすようにすることが好ましい。
【００２１】
ラスティングボードは、インサートの上面を含んだミッドソールの全体の上面に積層された状態で固定結合されるものであって、履き物の内部の底をなすことになり、外部の荷重により流動されるアウトソールの突出部を弾性的に支持することになる突起が安定した状態で弾性力を発揮できるようにインサートを安定的に支持する役割をする。
【００２２】
上記のように構成される本発明の履き物の靴底は、アウトソールが地面と接触の際、地面の凹凸状態によって各突出部が互いに各々異なる圧力で押されながら各々の流動程度が異なるようになり、各突出部はその内部に挿入されたインサートの各突起により弾性的に支持されることによって、アウトソールの全体の突出部が形成する下段面の軌跡は底の凹凸形態と一致しながらも履き物の内部の底面、即ち、ラスティングボードの上面が常に水平状態を維持できるようにすることに本発明の技術的特徴がある。
【発明の効果】
【００２３】
以上、説明したように、本発明履き物の靴底は、ミッドソールに結合されたインサートの突起がアウトソールの突出部の内側に対応するように挿入され、アウトソールに備えられた突出部が‘∩’形状の外輪により個別的に弾性流動されることによって、アウトソールの突出部から加えられる外部の衝撃が個別吸収されて履き物の内部の底面が常に平行状態で維持できることは勿論、未舗装道路や山登りの際、着用感が向上し、かつ、足裏の疲労感が減少する長所がある。
【発明を実施するための最良の形態】
【００２４】
本発明の履き物の靴底の前記の目的に対する技術的構成を始めとする作用効果に関する事項は本発明の好ましい実施形態を図示した次の図面を参照した詳細な説明により明確に分かるはずである。
【００２５】
図３は本発明の履き物の靴底の分解斜視図であり、図４は本発明の履き物の靴底の平面図であり、図５は本発明の履き物の靴底の底面図であり、図６は本発明の履き物の靴底の側面図であり、図７は本発明の履き物の靴底の側断面図である。
【００２６】
図示したように、本発明の履き物の靴底１００は、底面に複数の突出部１１１、１１２が突出形成され、各突出部１１１、１１２の上段部と底部が‘∩’形断面形状を有する閉ループ型外輪１１３を連結部にして一体化したアウトソール１１０と、前記アウトソール１１０の上面に積層結合され、アウトソール１１０の各外輪１１３と対応する位置に貫通孔１２１が各々形成された板状のミッドソール１２０と、前記ミッドソール１２０の上面に積層され、ミッドソール１２０の貫通孔１２１の各々に１：１対応貫通する複数の突起１３１が底面に突出形成された板状のインサート１３０と、前記インサート１３０を含んだミッドソール１２０の上面に積層結合されるラスティングボード１４０とから構成される。
【００２７】
この際、前記アウトソール１１０底面の中央部には、底面図上において、円形の突出部１１１が、その枠部には非対称の四角形状の突出部１１２が各々下方突出形成されるところ、突出部の形状はデザイン、用途などによって変化できる。
【００２８】
そして、前記突出部１１１、１１２とアウトソール１１０の底部の連結部である‘∩’形断面形状をなす外輪１１３は、平面図上において、突出部を覆いかぶせる閉ループをなすと共に、その上段面がアウトソール１１０の上面から上向突出した構造であって、前記突出部１１１、１１２が地面から伝えられる外力を受けることになれば、前記外輪１１３が弾性的に伸縮しながら各突出部１１１、１１２が独立的に流動できることになる。
【００２９】
また、前記‘∩’形状外輪１１３の内周面上にはインサート１３０の底面から突出した突起１３１の下段部が密着結合されるが、インサート１３０の突起１３１は、アウトソール１３０の上部に積層結合されるミッドソール１２０の貫通孔１２１を貫通した後、その下部が外輪１１３の内径部に各々個別的に挿入される。
【００３０】
この際、上記のように、底面に突起１３１が下向突出したインサート１３０は、高弾性材質のポリウレタン（ＰＵ：Polyurethane）からなることが好ましいところ、アウトソール１１０の突出部１１１、１１２から局部的な圧力が伝えられれば、各突起１３１は独立的に弾性変形されながらその圧力を吸収することになり、圧力が解消されればポリウレタンが持っている自体の弾性復元力によって各突起１３１が元来の形状に復元される。
【００３１】
一方、前記アウトソール１１０の上面に積層されるミッドソール１２０は、発泡合成樹脂（ＥＶＡ樹脂）を射出成型して製造されるが、インサート１３０の突起１３１が挿入される貫通孔１２１を除外した部分はクッション性を有するように製造することが好ましい。
【００３２】
そして、ミッドソール１２０には、アウトソール１１０の各前・後方突出部１１１、１１２に対応するように前・後方に各々複数の貫通孔１２１が集まっているところ、インサート１３０の場合、１枚で作られることができるが（図示していない）、図３に示すように、ミッドソール１３０の前方の複数の貫通孔と後方の複数の貫通孔に各々１：１対応して貫通する複数の突起１３１を各々有する２枚のインサートから構成することができる。
【００３３】
また、インサートを１枚で構成し、かつ、ミッドソールの大きさと同一にしない場合、即ち、インサートの大きさをミッドソールより小さくしたり、２枚で作る際、インサートをミッドソールに積層させることになれば、ミッドソールの上面に段部が形成されることによって底が均一でないことがあるところ、このような場合は、ミッドソールの上面にインサートの大きさぐらいの上向開放型溝を形成させ、この溝にインサートを挿入結合させることによって、ミッドソールの上面とインサートの上面が同一平面をなしながら段部が形成されないようにすることが好ましい。
【００３４】
図８は前記図５のＡ−Ａ’線断面図であり、図９は本発明の一実施形態の履き物の靴底の地面接地状態を示す横断面図である。
【００３５】
図示したように、本発明の履き物の靴底１００は、地面に向けて突出したアウトソール１１０の突出部１１１、１１２の上段にアウトソール１１０の底部との連結部である‘∩’形状断面の外輪１１３が備えられ、その内周面にインサート１３０の突起１３１がミッドソール１２０の貫通孔１２１を貫通した状態で挿入結合される。
【００３６】
したがって、アウトソール１１０の突出部１１１、１１２が平坦でない地面に接触した状態で着用者の荷重を受けることになれば、前記突出部１１１、１１２の上段の外輪１１３が伸縮しながら突出部の個別的な流動がなされることになり、外輪１１３の弾性変形による突出部１１１、１１２の流動程度だけポリウレタン材質からなるインサート１３０の各突起１３１が弾性的に圧縮変形され、アウトソール１１０が地面から落ちることになれば、着用者の荷重が除去されながら各突出部１１１、１１２と突起１３１が元来の状態に復元される。
【００３７】
特に、図９でのように、地面に接触したアウトソール１１０の一側突出部１１１、１１２が地面の突出した部分（Ｐ）上に置かれる場合、突出した部分（Ｐ）と接触した突出部１１２により多い圧力が加えられながら該突出部１１１、１１２が周りの突出部に比べてよりたくさん弾性変形されるが、このような弾性変形をその内部に密着した突起１３１が吸収することによって、その弾性変形力が隣接した突起１３１やミッドソール１２０に伝達できなくなり、その結果、靴底１００の内部の底部が常に水平状態に維持できることになる。
【００３８】
一方、前記アウトソール１１０の底部と突出部１１１、１１２を連結する外輪１１３の厚さは１．１ｍｍ〜１．３ｍｍ範囲が好ましいが、この際、外輪１１３の厚さが１．１ｍｍに及ばなければ、外部の圧力に対して突出部１１１、１１２が十分に支持できないし、１．３ｍｍを超過する場合は、加圧される外力に対して弾性的な伸縮が円滑になされなくなる。
【図面の簡単な説明】
【００３９】
【図１】従来の履き物の靴底の衝撃吸収構造を示す断面図である。
【図２】従来の他の履き物の靴底の衝撃吸収構造を示す分解斜視図である。
【図３】本発明の履き物の靴底の分解斜視図である。
【図４】本発明の履き物の靴底の平面図である。
【図５】本発明の履き物の靴底の底面図である。
【図６】本発明の履き物の靴底の側面図である。
【図７】本発明の履き物の靴底の側断面図である。
【図８】本発明に係る図５のＡ−Ａ’線断面図である。
【図９】本発明に係る履き物の靴底の地面接地状態の横断面図である。
【符号の説明】
【００４０】
１００    履き物の靴底
１１０    アウトソール
１１１、１１２    突出部
１１３    外輪
１２０    ミッドソール
１３０    インサート
１３１    突起
１４０    ラスティングボード
【図１】
2006334400.tif 000003
【図２】
2006334400.tif 000004
【図３】
2006334400.tif 000005
【図４】
2006334400.tif 000006
【図５】
2006334400.tif 000007
【図６】
2006334400.tif 000008
【図７】
2006334400.tif 000009
【図８】
2006334400.tif 000010
【図９】
2006334400.tif 000011